(57)【特許請求の範囲】
【請求項１】
ボディに接点機構、アマチュアを含んだ電磁石ブロックを備え、アマチュアの動きを接点機構に伝えて接点の開閉を行うためのカードを設け、これらボディ、接点機構、電磁石ブロック、カードをボディに被嵌したカバーで覆うようにしたものにおいて、ボディに電磁石ブロックを覆うトンネル状の絶縁壁を設け、胴部の一端部に接点機構を駆動する部分となる頭部を設けてカードを構成し、カードの胴部をトンネル状の絶縁壁の一端に設けた開口からトンネル状の絶縁壁内に嵌め込むと共に、カードの頭部をトンネル状の絶縁壁の前記開口側の一端よりも更に外方に配置し、トンネル状の絶縁壁内でアマチュアの先端部をカードの胴部の穴に圧入固定して、アマチュアの先端部をカードで覆い、カバーに設けたカバー側絶縁壁をトンネル状の絶縁壁の両側に沿って嵌め込んで接点機構の接点とボディのトンネル状の絶縁壁との間に配置し、且つカバー側絶縁壁の一端部をトンネル状の絶縁壁の前記開口側の一端部の両側に配置して成ることを特徴とする電磁継電器。
【請求項２】
胴部の一端部に胴部から両側方に突出する頭部を設けて略Ｔ字状のカードを構成して成ることを特徴とする請求項１記載の電磁継電器。
【請求項３】
接点部分の側方においてボディに設けたトンネル状の絶縁壁とカバーに設けたカバー側絶縁壁とが存在して２重絶縁壁となっていることを特徴とする請求項１又は請求項２記載の電磁継電器。
【請求項４】
カバー側絶縁壁の先端を、トンネル状の絶縁壁に沿ってボディに形成した凹所に係合して成ることを特徴とする請求項１〜請求項３のいずれかに記載の電磁継電器。
【請求項５】
ボディに設けたトンネル状の絶縁壁の接点部分側方を先細形状とし、この先細形状の部分の外側にカバー側絶縁壁を嵌合して成ることを特徴とする請求項１〜４のいずれかに記載の電磁継電器。
【発明の詳細な説明】
【０００１】
【産業上の利用分野】
本発明は、家庭電気機器、ヒートコントロール、ガス、水道、電力の自動検針器等の制御に使用される電磁継電器に適用される。
【０００２】
【従来の技術】
近年、家庭電気機器、ヒートコントロール、ガス、水道、電力の自動検針器等の制御に使用される電磁継電器には、特に、欧州等の２３０Ｖ地域を中心にして、ＶＤＥ０６３１，ＶＤＥ０７００、ＩＥＣ３３５ー１等に示されているように、十分な絶縁距離の確保や２重絶縁構造が要求されるようになってきている。
【０００３】
従来の電磁継電器としては、例えば、実開昭６１ー１９３６５３号公報に示されるものがある。
【０００４】
【発明が解決しようとする課題】
上記従来例にあっては、ボディに設けられた絶縁壁が電磁石ブロックの磁極部分で開口していて、この部分で絶縁が破れており、十分な絶縁距離がとり難く、また、カードに他の絶縁壁をつけてもカードが移動するため、ボディやカバーの絶縁壁との間に隙間が生じるので、完全な２重絶縁構造を達成することが困難であった。
【０００５】
本発明は上記の従来例の問題点に鑑みて発明したものであって、その目的とするところは、十分な絶縁距離が確保でき、完全な２重絶縁が達成できる電磁継電器を提供するにある。
【０００６】
【課題を解決するための手段】
上記の従来例の問題点を解決して本発明の目的を達成するため、本発明の電磁継電器は、ボディ１に接点機構２、アマチュア４を含んだ電磁石ブロック３を備え、アマチュア４の動きを接点機構２に伝えて接点の開閉を行うためのカード５を設け、これらボディ１、接点機構２、電磁石ブロック３、カード５をボディ１に被嵌したカバー６で覆うようにしたものにおいて、ボディ１に電磁石ブロック３を覆うトンネル状の絶縁壁７を設け、胴部９の一端部に接点機構２を駆動する部分となる頭部１０を設けてカード５を構成し、カード５の胴部９をトンネル状の絶縁壁７の一端に設けた開口７ｂからトンネル状の絶縁壁７内に嵌め込むと共に、カード５の頭部１０をトンネル状の絶縁壁７の前記開口７ｂ側の一端よりも更に外方に配置し、トンネル状の絶縁壁７内でアマチュア４の先端部をカード５の胴部９の穴２３に圧入固定して、アマチュア４の先端部をカード５で覆い、カバー６に設けたカバー側絶縁壁８をトンネル状の絶縁壁７の両側に沿って嵌め込んで接点機構２の接点とボディ１のトンネル状の絶縁壁７との間に配置し、且つカバー側絶縁壁８の一端部をトンネル状の絶縁壁７の前記開口７ｂ側の一端部の両側に配置して成ることを特徴とするものである。
【０００７】
また、胴部９の一端部に胴部９から両側方に突出する頭部１０を設けて略Ｔ字状のカード５を構成することも好ましい。
【０００８】
また、カバー側絶縁壁８の先端を、トンネル状の絶縁壁７に沿ってボディ１に形成した凹所１１に係合することも好ましい。
また、ボディ１に設けたトンネル状の絶縁壁７の接点部分側方を先細形状とし、この先細形状の部分の外側にカバー側絶縁壁８を嵌合することも好ましい。
【０００９】
【作用】
上記のような構成の本発明によれば、ボディ１に電磁石ブロック３を覆うトンネル状の絶縁壁７を設け、カバー６に接点機構２の接点とボディ１のトンネル状の絶縁壁７との間に配置されるカバー側絶縁壁８を設けることで、ボディ１に設けたトンネル状の絶縁壁７とカバー６に設けたカバー側絶縁壁８とで確実に絶縁して十分な絶縁距離を確保できるものである。また、アマチュア４の先端部を覆うカード５を設けることで、アマチュア４の先端が露出せず、より確実な絶縁が確保できることになる。
【００１０】
また、胴部９の一端部に胴部９から両側方に突出する頭部１０を設けて略Ｔ字状のカード５を構成することで、簡単な構成で、アマチュア４の先端部の絶縁確保と、接点機構２の駆動とが行えるものである。
【００１１】
また、接点部分の側方においてボディ１に設けたトンネル状の絶縁壁７とカバー６に設けたカバー側絶縁壁８とが存在して２重絶縁壁とすることで、接点部分の側方においては完全な２重絶縁が確保できるものである。
また、カバー側絶縁壁８の先端を、トンネル状の絶縁壁７に沿ってボディに形成した凹所１１に係合することで、ボディ１が薄くなってもカバー側絶縁壁８により外部からの衝撃や温度変化による変形を防止することができる。
【００１２】
また、ボディ１に設けたトンネル状の絶縁壁７の接点部分側方を先細形状とし、この先細形状の部分の外側にカバー側絶縁壁８を嵌合することで、剛性が高くなって、捩れを含めていろいろな方向の力に対して強くなり、変形が少なくなる。
【００１３】
【実施例】
本発明を以下添付図面に示す実施例に基づいて詳述する。ボディ１には接点機構２が設けてある。接点機構２は可動接点ブロック２ａと固定接点ブロック２ｂとで構成してある。
ボディ１の上面部には両端部に開口部７ａ、７ｂを有するトンネル状の絶縁壁７が長手方向の略全長にわたってボディ１と一体に形成してある。トンネル状の絶縁壁７は段部７ｈ、７ｉを形成して一端部側が先細状となった先細状部分７ｃとなり、他端部側に鍔部７ｄが形成してあり、上記段部７ｈ、７ｉ、鍔部７ｄは絶縁壁７の長手方向と直交する垂直壁となっている。また、ボディ１の上面部にはトンネル状の絶縁壁７の外側に沿って凹所１１が形成してある。
【００１４】
可動接点ブロック２ａはボディ１に圧入固定された可動接点端子１２に、一端部に可動接点１３をかしめ固着した略コ字状をした可動ばね１４の他端部を固着して構成してある。また、固定接点ブロック２ｂは先端部に固定接点１５をかしめ固着した固定接点端子１６をボディ１に圧入固定して構成してある。ここで、可動接点１３と固定接点１５とが対向する位置関係に配置される。そして、この接点機構２の接点部分は上記ボディ１に設けた先細状部分７ｃの両側方にそれぞれ１組ずつ位置している。
【００１５】
電磁石ブロック３は、内部に中空部１８を有したコイルボビン１９にコイル２０を巻装し、コイルボビン１９を取り囲むように配されている略コ字状の１組の継鉄２１と、該１組の継鉄２１間に配置されている永久磁石２２とで構成してある。ここで、上記コイルボビン１９にはコイル端子５０が装着してある。また、１組の継鉄２１はいずれも略コ字状をしていてそれぞれの磁極部２１ａが対向するように平行に配置してあり、それぞれの中間片２１ｂ間に永久磁石２２が装着してある。このような構成の電磁石ブロック３はボディ１に設けたトンネル状の絶縁壁７の先細状部分７ｃとは反対側の開口部７ａから該トンネル状の絶縁壁７内に挿入してある。
【００１６】
カード５は樹脂成形品であって、胴部９の一端部に胴部９から両側方に突出する頭部１０を設けて略Ｔ字状に形成してあり、胴部９には胴部９の突出先端面から胴部９の途中まで到る穴２３が設けてあり、また、頭部１０の両側部にはそれぞれ可動ばね１４の先端の嵌め込み片１４ａを挿入するための挿入溝２４が設けてある。そして、該カード５は胴部９をボディ１に設けたトンネル状の絶縁壁７の先細状部分７ｃ側の開口部７ｂから該トンネル状の絶縁壁７内に嵌め込まれ、両挿入溝２４に両側の可動ばね１４の先端の嵌め込み片１４ａを挿入してある。
【００１７】
アマチュア４は先端に細長部４ａを有しており、先端部よりコイルボビン１９の中空部１８に挿入され、電磁石ブロック１８を通ってボディ１のトンネル状の絶縁壁７内で前記カード５の胴部９の穴２３に圧入固定してあり（図２、図４参照）、このことによりアマチュア４の先端部４ａがカード５により完全に覆われ、さらにその外方がトンネル状の絶縁壁７により覆われることになる。
【００１８】
カバー６は下方が開口した角箱状をしており、内部上面より一対のカバー側絶縁壁８をカバー６と一体に垂設してある。この一対のカバー側絶縁壁８間の間隔は一端部側が段部８ａ、８ｂを介して次第に幅狭となっている。また、カバー側絶縁壁８は縁突片８ｃによりカバー６の内壁と一体となっている。該カバー６はボディ１に被嵌され、該ボディ１に被嵌したカバー６により接点機構２、アマチュア４を備えた電磁石ブロック３、カード５を覆うようになっている。この場合、カバー側絶縁壁８はボディ１に設けたトンネル状の絶縁壁７の両外側に沿って嵌め込まれている。また、カバー側絶縁壁８の先端部はトンネル状の絶縁壁７に沿ってボディに形成した凹所１１に係合してある。このため、ボディ１とカバー６との一体化がはかれ、ボディ１が薄くなってもカバー側絶縁壁８により外部からの衝撃や温度変化による変形を防止することができようになっている。また、トンネル状の絶縁壁７がボディ１の長手方向の略全長にわたって形成してあり、更に、該トンネル状の絶縁壁７は先細状部分７ｃを形成するための段部７ｈ、７ｉを設け、更に鍔部７ｄを設けてあるので、トンネル状の絶縁壁７自体による補強効果に加え、上記段部７ｈ、７ｉ、鍔部７ｄによる補強効果が加わり、捩れを含めて色々な方向の力に対しても強く、剛性が高くなって、変形が少なくなる。また、ボディ１に設けたトンネル状の絶縁壁７の先細状部分７ｃの外側にカバー側絶縁壁８の先細形状の部分を嵌合するので、更に、補強効果が加わり、いっそう捩れを含めて色々な方向の力に対しても強く剛性が高くなって、変形が少なくなるものである。これらの補強効果の結果、寸法変化による特性変化が少なくなるものである。
【００１９】
上記のような構成の電磁継電器は、電磁石ブロック３のコイル２０の励磁によりアマチュア４がコイルボビン１９内の支点を中心に一対の継鉄２１の磁極部２１ａに吸引されるように揺動する。このアマチュア４の動きは、アマチュア４の先端部４ａに固着されたカード５を通して、可動接点ばね１４に伝わり、可動接点１３と固定接点１５との開閉が行われる。
【００２０】
ここで、電磁継電器の入力である電磁石部と出力である接点部の絶縁については、大部分の箇所で、可動接点ブロック２ａと、固定接点ブロック２ｂと、電磁石ブロック３とが、ボディ１のトンネル状の絶縁壁７とカバー６のカバー側絶縁壁８とで絶縁されており、先細状部分７ｃ側の開口部７ｂを通しては、電磁石ブロック３の継鉄２１もしくはアマチュア４と、接点部分とは空間的につながっているが、空間距離、沿面距離は必要な絶縁距離が確保されている。特に、トンネル状の絶縁壁７内においてアマチュア４の先端部４ａがカード５により完全に覆われているので、アマチュア４の先端部の絶縁が確実にはかれ、また、接点部分の側方においてはボディ１に設けたトンネル状の絶縁壁７とカバー６に設けたカバー側絶縁壁８とが存在して２重絶縁壁となっており、このことにより接点部分の側方においては完全な２重絶縁が確保できることになる。
【００２１】
【発明の効果】
本発明の請求項１記載の発明にあっては、ボディに電磁石ブロックを覆うトンネル状の絶縁壁を設け、カバーに接点機構の接点とボディのトンネル状の絶縁壁との間に配置されるカバー側絶縁壁を設けてあるので、ボディに設けたトンネル状の絶縁壁とカバーに設けたカバー側絶縁壁との２つの絶縁壁により確実に絶縁して十分な絶縁距離を確保できるものであり、また、このようにボディに設けたトンネル状の絶縁壁とカバーに設けたカバー側絶縁壁との２つの絶縁壁により確実に絶縁できるので、カード等の可動部に絶縁のための壁を設ける必要がないので、カードを単純形状にすることが可能で、軽量化がはかれ、動作時間が短く、対衝撃や対振動特性に優れた電磁継電器を提供できることになる。また、アマチュアの先端部を覆うカードを設けてあるので、アマチュアの先端が露出せず、より確実な絶縁が確保できるものである。
【００２２】
また、本発明の請求項２記載の発明にあっては、上記請求項１記載の発明の効果に加え、胴部の一端部に胴部から両側方に突出する頭部を設けて略Ｔ字状のカードを構成しているので、簡単な構成で、アマチュアの先端部の絶縁確保と、接点機構の駆動とができるものである。
【００２３】
また、本発明の請求項３記載の発明にあっては、上記請求項１又は請求項２記載の発明の効果に加え、接点部分の側方においてボディに設けたトンネル状の絶縁壁とカバーに設けたカバー側絶縁壁とが存在して２重絶縁壁としてあるので、接点部分の側方においては完全な２重絶縁が確保でき、より確実な絶縁がはかれるものである。
【００２４】
また、本発明の請求項４記載の発明にあっては、上記請求項１〜３のいずれかに記載の発明の効果に加え、カバー側絶縁壁の先端を、トンネル状の絶縁壁に沿ってボディに形成した凹所に係合することで、ボディが薄くなってもカバー側絶縁壁により外部からの衝撃や温度変化による変形を防止することができるものである。
また、本発明の請求項５記載の発明にあっては、上記請求項１〜４のいずれかに記載の発明の効果に加え、ボディに設けたトンネル状の絶縁壁の接点部分側方を先細形状とし、この先細形状の部分の外側にカバー側絶縁壁の先細形状となった部分を嵌合することで、剛性が高くなって、捩れを含めていろいろな方向の力に対して強くなり、変形が少なくなり、寸法変化による特性変化が少ないものである。
【図面の簡単な説明】
【図１】本発明の電磁継電器の分解斜視図である。
【図２】第４図のＡーＢ線の断面図である。
【図３】第２図のＣーＤ線の断面図である。
【図４】第２図のＥーＦ線の断面図である。
【図５】第２図のＧーＨ線の断面図である。
【図６】第２図のＩーＪ線の断面図である。
【図７】第２図のＫーＬ線の断面図である。
【図８】本発明の電磁継電器の下面図である。
【符号の説明】
１  ボディ
２  接点機構
３  電磁石ブロック
４  アマチュア
５  カード
６  カバー
７  絶縁壁
８  カバー側絶縁壁
９  胴部
１０  頭部
１１  凹所
【図１】
0003744016.tif 000002
【図２】
0003744016.tif 000003
【図３】
0003744016.tif 000004
【図４】
0003744016.tif 000005
【図５】
0003744016.tif 000006
【図６】
0003744016.tif 000007
【図７】
0003744016.tif 000008
【図８】
0003744016.tif 000009